(57)【要約】【課題】  画像形成装置が省電力モードに移行した場合に、消費電力削減効率を向上させる手段を備えた画像形成装置を提供することを目的とする。【解決手段】  画像形成装置１が省電力モードに移行した際に、通信制御部３、ハードディスク６及び電源起動部５等に充電池７から駆動電力が供給されるように電源切り替えスイッチ９を設け、画像形成装置１が待機中には、印刷データの受信のみを行い、印刷データが格納されたハードディスク６の容量がある規定量に達した場合には、画像形成部電源４を起動し、印刷を行うことにした。【選択図】  図２
2008137162.tif 000002
【特許請求の範囲】
【請求項１】
受信した印刷データを印刷する画像形成装置において、
印刷データの通信を制御する通信制御手段と、
前記通信制御手段が受信した印刷データを格納する印刷データ格納手段と、
前記印刷データ格納手段から印刷データを読み出して画像を形成する画像形成手段と、
商用電源から前記画像形成装置に電力を供給する電源手段と、
前記電源手段を起動するための電源起動手段と、
前記画像形成装置の電圧を監視する電圧監視手段と、
前記通信制御手段、前記印刷データ格納手段、前記電源起動手段及び前記電圧監視手段に電力を供給する蓄電手段と、
電力供給源を前記電源手段あるいは前記蓄電手段のいずれかに選択可能な電力供給源切り替え手段とを備え、
一定期間印刷データが受信されず、画像形成が行われていない状態が継続した場合には、前記電源手段から前記蓄電手段へと電力供給源が切り替わり、また、画像形成を行うための所定の条件が満たされた場合には、前記蓄電手段から前記電源手段へと電力供給源が切り替わり、画像形成動作を開始することを特徴とする画像形成装置。
【請求項２】
請求項１に記載の画像形成装置において、
前記画像形成装置の作動状態を記憶する記憶手段と、
前記印刷データ格納手段に格納された印刷データを解析するデータ解析手段とを備え、
前記画像形成を行うための所定の条件を満たした場合であっても、前記記憶手段と、前記データ解析手段から現在の画像形成装置の状態では画像形成不可能な場合は、画像形成動作を開始せず、前記蓄電手段より電力が供給された状態のまま印刷データを受信することを特徴とする画像形成装置。
【請求項３】
前記画像形成を行うための所定の条件として、前記印刷データ格納手段に規定量の印刷データが格納された場合に画像形成を開始することを特徴とする請求項１乃至２に記載の画像形成装置。
【請求項４】
受信した印刷データを格納する印刷データ格納工程と、
前記印刷データ格納手段から印刷データを読み出して画像を形成する画像形成工程と、
電力供給源を前記電源手段あるいは前記蓄電手段のいずれかに切り替える工程とを有し、
一定期間印刷データが受信されず、画像形成が行われていない状態が継続した場合には、前記電源手段から前記蓄電手段へと電力供給源が切り替わり、また、画像形成を行うための所定の条件が満たされた場合には、前記蓄電手段から前記電源手段へと電力供給源が切り替わり、画像形成動作を開始することを特徴とする画像形成法。
【請求項５】
請求項４に記載の画像形成法において、
前記画像形成装置の作動状態を記憶する記憶工程と、
前記印刷データ格納手段に格納された印刷データを解析するデータ解析工程とを有し、
前記画像形成を行うため所定の条件を満たした場合であっても、前記記憶手段と、前記データ解析手段から現在の画像形成装置の状態では画像形成不可能な場合は、画像形成動作を開始せず、前記蓄電手段より電力が供給された状態のまま印刷データを受信することを特徴とする画像形成法。
【請求項６】
前記画像形成を行うための所定の条件として、前記印刷データ格納手段に規定量の印刷データが格納された場合に画像形成を開始することを特徴とする請求項４乃至５に記載の画像形成法。
【発明の詳細な説明】
【技術分野】
【０００１】
本発明は画像形成装置に関するものである。
【背景技術】
【０００２】
プリンタ、複写機及びファクシミリ装置等の電子写真方式の画像形成装置においては、画像を記録媒体に形成する際、感光体ドラムを帯電させ、露光装置により潜像を形成し、トナーで現像後、記録媒体に転写し、定着器での加熱処理により画像を定着させる方法が用いられている。
【０００３】
従来、これらの画像形成装置には、印刷データが無い時や一定期間使用していない場合は、省電力モードに切り替わり消費電力を抑える機能が設けられている。例えば、特許文献１に記載されていように、一度、画像形成装置が待機状態に切り替わった場合、定着器の電力を落として印刷データの受信のみを行い、受信した印刷データをハードディスクに一時的に格納し、ある一定量もしくは一定時間経過後に、まとめて印刷を行うことで、定着器の使用電力を削減していた。
【特許文献１】特開平１０−９５１４６
【発明の開示】
【発明が解決しようとする課題】
【０００４】
しかしながら、上記従来技術では、待機時においても画像形成装置内に具備されている各種制御部や電源等は通電されたままであり、定着器のみの電力削減がなされている状態であった。そのため、待機時においても、まだ数十Ｗ程度の電力を消費してしまうとういう問題があった。
【０００５】
本発明は、かかる実情に鑑みてなされたものであり、画像形成装置が省電力モードに移行した場合は、通信制御手段、印刷データ格納手段及び電源起動手段等に対して、予め蓄電した蓄電手段から駆動電力を供給し、また、その他の定着器等を停止することにより消費電力削減効率を向上させた画像形成装置を提供しようとするものである。
【課題を解決するための手段】
【０００６】
上記課題を解決する為に、本発明にかかる画像形成装置は、印刷データの通信を制御する通信制御手段と、通信制御手段が受信した印刷データを格納する印刷データ格納手段と、印刷データ格納手段から印刷データを読み出して画像を形成する画像形成手段と、商用電源から画像形成装置に電力を供給する電源手段と、電源手段を起動するための電源起動手段と、画像形成装置の電圧を監視する電圧監視手段と、通信制御手段、印刷データ格納手段、電源起動手段及び電圧監視手段に電力を供給する蓄電手段と、電力供給源を電源手段あるいは蓄電手段のいずれかに選択可能な電力供給源切り替え手段とを備え、一定期間印刷データを受信せず、画像形成が行われていない状態が継続した場合には、電源手段から蓄電手段へと電力供給源が切り替わり、また、画像形成を行うための所定の条件が満たされた場合には、蓄電手段から電源手段へと電力供給源が切り替わり、画像形成動作を開始することを特徴としている。
【発明の効果】
【０００７】
本発明の画像形成装置によれば、印刷データの信号待ちである待機状態において、蓄電池を用いることにより、通信手段、印刷データ格納手段、電源起動手段及び電圧監視手段のみに電力を提供することで優れた省電力効果を得ることができる。さらに、蓄電池の電力が低下した場合、電源起動手段によって通常の電源を起動して、印刷データ格納手段に蓄積した印刷データを印刷すると共に、蓄電池を充電することにより、トータルでは消費電力の少ない画像形成装置を提供することが可能となる。
【発明を実施するための最良の形態】
【０００８】
（第１実施形態）
以下に、本発明の実施の形態を図示例と共に説明する。なお、各図面に共通な要素には同一の符号を付す。図１は、本実施例である画像形成装置１が組み込まれたネットワーク構成図である。画像形成装置１は、本実施例では、電子写真方式のページプリンタである。ネットワーク１２は、データ送受信を行う通信路である。画像形成装置１、パーソナルコンピュータ（ＰＣ）１３が接続されており、それぞれ相互に印刷データの送受信が可能な状態である。
【０００９】
ＰＣ１３は、使用者が印刷データを作製する処理端末であり、ネットワーク１２を経由して画像形成装置１に印刷データを送信し印刷を行う。
【００１０】
図２は、第１実施形態の実施例である画像形成装置１の構成を示したブロック図である。
【００１１】
画像形成装置１は、ネットワーク１２から受信されたコマンドの解析や、コマンドの送受信及び印刷データの受信等を行う通信制御部３と、画像形成装置１全体に電力を供給する画像形成部電源４と、画像形成部電源４を起動するための電源起動部５と、印刷データを格納するハードディスク６と、画像形成装置１の電圧を監視する電圧監視部９９と、通信制御部３、電源起動部５、ハードディスク６、電圧監視部９９に電力を提供するための充電池７と、画像形成部電源４から充電池７に電力を充電するための充電回路８と、電力供給源を切り替えるための電源切り替えスイッチ９及び通信制御部３からの印刷データを基に画像形成を行う画像形部１１とから構成される。
【００１２】
通信制御部３は、信号線１００を介してネットワークと接続されている。さらに、通信制御部３は、それぞれ、信号線１０１を介して電源起動部５と、信号線１０２を介してハードディスク６と、信号線１０４を介して画像形成部１１と接続されている。
【００１３】
画像形成部１１は、信号線１０５を介して電源切り替えスイッチ９と、信号線１０９を介して画像形成部電源４と接続されており、電源起動部５は、信号線１１３を介して電圧監視部９９と、信号線１１４を介して画像形成部電源４と接続されている。
【００１４】
また、電力供給源は、電源切り替えスイッチ９を中心に充電池７及び画像形成部電源４から構成されている。つまり、電源切り替えスイッチ９がＡの位置にセットされた場合、充電池７から供給される電力は電力供給ライン１０３を介して電圧監視部９９、電源起動部５、通信制御部３、ハードディスク６に供給されることになる。
【００１５】
一方、電源切り替えスイッチ９がＢの位置にセットされた場合、画像形成部電源４から供給される電力は、電力供給ライン１０３を介して電圧監視部９９、電源起動部５、通信制御部３、ハードディスク６に供給され、さらに、電力供給ライン１１０を介して画像形成部１１に電力が供給されることになる。
【００１６】
次に、第１実施形態の実施例である画像形成装置１の動作について詳細に説明する。
【００１７】
画像形成装置１は、電源投入した後、通常印刷モードで起動し、ネットワーク１２から印刷データを受信して印刷を行う。
【００１８】
画像形成部１１は、印刷データを一定期間受信せず、かつ印刷を行っていないと判断すると、画像形成装置１を省電力モード（待機モード）に移行するように信号を出力する。つまり、電源切り替えスイッチ９をスイッチ位置Ａの位置、すなわち充電池７から電力が供給されるように電力供給源を切り替える。また、画像形成部１１は、画像形成部電源４に対しても停止信号を出力し、画像形成部電源４が停止後、画像形成部１１も停止する。
【００１９】
以降は、省電力モードとなり、充電池７により電力提供を受けているのは、電圧監視部９９、電源起動部５、通信制御部３、ハードディスク６となる。ネットワーク１２からのコマンドや印刷データを通信制御部３が受信すると、その印刷データは一時ハードディスク６に格納される。通信制御部３は、ハードディスク６の印刷データ格納量を監視しており、印刷データ量がある一定量に達したと判断した場合、電源起動部５に開始信号を出力する。開始信号を受信した電源起動部５は画像形成部電源４を起動する。
【００２０】
起動した画像形成部電源４は、商用電源１４から電力の供給を受け、画像形成装置１全体に電力を供給する。
【００２１】
画像形成部１１は、電力供給とともに画像形成装置１のウォームアップを行い、印刷可能な状態とする。次に、通信制御部３に印刷データが存在するかどうかの問い合わせを行う。ここで、省電力モード時に、ハードディスク６に格納した印刷データ、読み出して印刷を行う。
【００２２】
図３は、画像形成部１１が処理する通常印刷モードから省電力モードへの切り替えタスクを示すフローチャートである。
【００２３】
画像形成部１１は、一定期間印刷を行っていないと判断すると、省電力モード移行プロセスを開始する。
【００２４】
Ｓ２において、画像形成部１１は、通信制御部３に対して印刷データの有無の問い合わせを行い、印刷データを受信したかどうかを判断する。ここで、受信したと判断するとＳ３へ分岐し、印刷データを受信していないと判断するとＳ４へ分岐する。
【００２５】
Ｓ３においては、通常の印刷処理が行われる。
【００２６】
一方、Ｓ４においては、画像形成部１１は、電源切り替えスイッチ９に対して電源切り替えスイッチ位置をＡの位置、すなわち充電池７から電力が供給されるように電力供給源を切り替えるように信号を出力する。
【００２７】
次に、Ｓ５において画像形成部１１は、通信制御部３に対して省電力モードに移行する旨を通知する。
【００２８】
次に、Ｓ６において画像形成部１１は、画像形成部電源４に対して停止信号を出力する。
【００２９】
最後に、画像形成部１１自らも停止することで、通常印刷モードから省電力モードへの切り替えタスクが終了する。
【００３０】
図４は、画像形成部１１が処理する省電力モードから通常印刷モードへの切り替えタスクを示すフローチャートである。
【００３１】
画像形成部１１が電源ＯＮの処理を開始する。
【００３２】
Ｓ８において、画像形成部１１は、電源切り替えスイッチ９に対して電源切り替えスイッチ位置をＢの位置、すなわち画像形成部電源４から電力が供給されるように電力供給源を切り替えるように信号を出力する。
【００３３】
Ｓ９においては、画像形成部１１は、画像形成装置１が印刷可能となるように、通常の電源ＯＮ時の処理を行う。
【００３４】
次に、Ｓ１０において、画像形成部１１は通信制御部３に確認することで、省電力モードからの復帰か否かを判断する。ここで、画像形成部１１は、省電力モードからの復帰と判断すると、Ｓ１１に分岐する。一方、省電力モードからの復帰ではないと判断すると本処理を終了させる。
【００３５】
さらに、Ｓ１１において、画像形成部１１は通信制御部３に対してハードディスク６に印刷データが格納されているか否かを問い合わせる。ここで、画像形成部１１は、ハードディスク６に印刷データが格納されていると判断すると、Ｓ１７へ分岐し、印刷データが格納されていないと判断すると本処理を終了させる。
【００３６】
最終的に、Ｓ１７において、画像形成部１１は、通信制御部３を通してハードディスク６に格納された印刷データを読み出し、印刷処理を行い一連のタスクを終了させる。
【００３７】
図５は、通信処理部３が省電力モード中に行うタスクを示すフローチャートである。
【００３８】
通信制御部３は、前述した画像形成部１１からの省電力モード移行信号を基に省電力モード処理を開始する。
【００３９】
Ｓ２０において、通信制御部３は、ハードディスク６に空き容量が一定量以上あるかどうか判断する。ここで、通信制御部３は、ハードディスク６に空き容量が一定以上無いと判断すると、Ｓ１６へ分岐し印刷データを受信せずに省電力モードから復帰する。つまり、通信制御部３は電源起動部５に起動信号を出力し、起動信号を受信した電源起動部５は、画像形成部電源４を起動させる。
【００４０】
Ｓ１３では、通信制御部３は、ネットワーク１２から印刷データを受信したかどうかを判断する。ここで、通信制御部３は、印刷データを受信したと判断するとＳ１４へ分岐し、受信していないと判断するとＳ１５に分岐する。
【００４１】
印刷データを受信した場合、通信制御部３は、Ｓ１４において受信データをハードディスク６に格納する。
【００４２】
Ｓ１５において、通信制御部３はハードディスク６に格納した印刷データ量が、予め決められている一定量以上あるかどうかを判断する。ここで、ハードディスク６に印刷データが一定量以上格納されていると判断されるとＳ１６へ分岐し、一定量未満であると判断するとＳ２０に戻り、再びハードディスク６の空き容量を確認する。
【００４３】
Ｓ１６においては、前述した通り、通信制御部３は電源起動部５に起動信号を出力し、起動信号を受信した電源起動部５は、画像形成部電源４を起動させた後、一連のタスクを終了する。
【００４４】
図６は、通信処理部３の通常受信処理を示すフローチャートである。
【００４５】
通信制御部３は、通常受信処理を開始した後、Ｓ１８において、省電力モードへ移行したかどうかを判断する。ここで、省電力モードに移行したと判断すると、Ｓ１２へ分岐する。省電力モードに移行していないと判断するとＳ１３に分岐する。
【００４６】
Ｓ１３においては、印刷データを受信したか否かを判断する。ここで、通信制御部３は、印刷データを受信したと判断すると、Ｓ３へ分岐する。一方、印刷データを受信していないと判断すると、Ｓ１８に戻り、再び省電力モードの問い合わせを行う。
【００４７】
図７は、電源監視部９９の処理タスクを表すフローチャートである。
【００４８】
省電力モードにおいて監視を開始した電源監視部９９は、Ｓ２１において充電池７からの出力電圧が、一定以上の電圧であると判断すると、Ｓ２１にもどる。一方、充電池７かからの出力電圧が一定以上の電圧でないと判断すると、Ｓ２２に分岐する。
【００４９】
Ｓ２２においては、電源監視部９９は、は電源起動部５に起動信号を出力し、起動信号を受信した電源起動部５は、画像形成部電源４を起動させる。
【００５０】
図８は、本実施例の電源出力のタイムテーブルを示している。
【００５１】
充電池７の出力する電圧と、画像形成部電源４の出力する電圧を同じ時刻で表示している。まず、Ｔ１で、画像形成装置１の電源を投入する（電源ＯＮ）。電源投入により、画像形成部電源４の出力電圧は急速に上昇し、Ｔ２で一定電圧となる。画像形成部１１は電圧が一定となった時点で処理を開始し、印刷可能な状態となる。
【００５２】
また、画像形成部電源４の出力が一定電圧となったＴ２以降、充電池７は充電回路８により充電が行われる。
【００５３】
ハードディスク６に格納されていた印刷データの印刷が終了し、印刷が行われない状態がＴ３まで継続すると、画像形成装置１は省電力モードに入る。、電圧監視部９９、電源起動部５、通信制御部３、ハードディスク６は充電池７より電力供給を受ける。省電力モードでは、消費電力削減のため、画像形成部電源４は停止する。
【００５４】
画像形成部で電源４の出力電圧は急速に低下し、やがて０となる。一方、充電池７の電圧（充電量）は、電圧監視部９９、電源起動部５、通信制御部３、ハードディスク６が消費する電力量に伴い、徐々に低下する。省電力モードに入ったＴ３から再び画像形成部電源４が起動するＴ４の間は、商用電力１４を使用しないため、消費電力は０Ｗである。  印刷データがハードディスク６に規定量格納された段階となると（Ｔ４）、通信制御部３は、電源起動部５を介して画像形成部電源４を起動する。すなわち、電力供給源が充電池７から画像形成部電源４に切り替えられ、通常印刷モードに復帰する。
【００５５】
商用電源１４からの電力で画像形成部電源４の出力は急速に上昇し、一定電圧となる。ここで、前述した電源ＯＮ処理が行われ、画像形成装置１は印刷可能状態となる。また、画像形成部電源４の出力が一定となった時点、Ｔ５から再び充電池７への充電が充電回路８によって行われる。
【００５６】
（第２実施形態）
次に、本発明の第２実施形態について、図９及び図１０を参照しながら説明する。なお、図９において、図２と同じ符号を付した部分は略同一である。図９は、第２実施形態の実施例である画像形成装置１の構成を示したブロック図である。
【００５７】
画像形成装置１は、ネットワーク１２から受信されたコマンドの解析や、コマンドの送受信及び印刷データの受信等を行う通信制御部３と、画像形成装置１全体に電力を供給する画像形成部電源４と、画像形成部電源４を起動するための電源起動部５と、印刷データを格納するハードディスク６と、画像形成装置１の電圧を監視する電圧監視部９９と、省電力モードに入る前の画像形成装置１の状態を記憶する画像形成部状態記憶部２０と、ハードディスク６に格納された印刷データがカラー情報なのかモノクロ情報なのかを解析するための印刷データ解析部２１と、通信制御部３、電源起動部５、ハードディスク６、電圧監視部９９、画像形成部状態記憶部２０、印刷データ解析部２１に電力を提供するための充電池７と、画像形成部電源４から充電池７に電力を充電するための充電回路８と、電力供給源を切り替えるための電源切り替えスイッチ９と、通信制御部３からの印刷データを基に画像形成を行う画像形部１１とから構成される。
【００５８】
本実施例にかかる画像形成装置１内の各部構成は、第１実施例と略同一なので、ここでは、異なる点について説明する。
【００５９】
画像形成部状態記憶部２０は、信号線２００を介して通信制御部３と接続されている。また、印刷データ解析部２１も同様に、信号線２０１を介して通信制御部３と接続されている。
【００６０】
次に、次に、第２実施形態の実施例である画像形成装置１の動作について詳細に説明する。本実施例にかかる画像形成装置１の動作は、第１実施例と略同一なので、ここでは、異なる点について説明する。
【００６１】
画像形成装置１が省電力モードに入った際、通信制御部３は画像形成部状態記憶部２０に対して画像形成装置１が省電力モードに入る直前の装置状態について問い合わせを行う。ここで、画像形成装置１にジャム発生等の不具合が見出されると、画像形成処理を開始しない。また、通信制御部３は、画像形成装置１がカラー印刷可能か否かを判断すると共に、印刷データ解析部２１に印刷データがカラー印刷かモノクロ印刷かを問い合わせることで判断し、画像形成装置１が受信した印刷データに対して印刷可能な場合にのみ、省電力モードから復帰するため電力を無駄に消費せず、効率的に省電力効果を得ることが可能となる。
【００６２】
次に、通信制御部３の処理タスクを図１０のフローチャートを用いてより詳細に説明する。
【００６３】
第１実施例で説明した上位処理タスク終了後に、Ｓ３０において、通信制御部３は画像形成部状態記憶部２０から、画像形成装置１が省電力モードに入る直前の装置状態を読み出す。
【００６４】
次に、Ｓ３１において、通信制御部３は、Ｓ３０で読み出した情報から画像形成装置１が印刷可能であるかどうかを判断する。例えば、画像形成装置１の状態が、「ジャム発生」、「スタッカフル」及び「定着器寿命」等の装置エラーの場合、通信制御部３は、画像形成装置１は印刷不可能と判断し、Ｓ２０へ分岐する。一方、画像形成装置１は印刷可能であると判断した場合は、Ｓ３２へと分岐する。
【００６５】
Ｓ３２において、通信制御部３は、画像形成装置１はカラー印刷可能かどうかを判断する。例えば、「イエロートナー終了」や「マゼンダドラム寿命」など場合、画像形成装置１はカラー印刷不可能と判断され、Ｓ３３へ分岐する。ここで、通信制御部３は、イエロー、マゼンダ及びシアンの３色のトナーと感光体ドラム等にエラーが無い場合、カラー印刷可能と判断しＳ３６へと分岐する。
【００６６】
Ｓ３３においては、通信制御部３は画像形成装置１がモノクロ印刷可能かどうかを判断する。黒色のトナーと感光体ドラム等に異常がなければモノクロ印刷可能と判断し、さらにＳ３４へ分岐する。ここで、通信制御部３は画像形成装置１がモノクロ印刷不可能と判断すると、Ｓ２０に分岐する。
【００６７】
通信制御部３は、Ｓ３４においてハードディスク６から印刷データを読み出した後、Ｓ３５において、通信制御部３はモノクロのみの印刷データがあるかどうかを判断する。一般的なページプリンタの印刷言語では、印刷データの先頭に、どの色を使用する印刷データであるかというコマンドがあり、この部分を読み取ることで、印刷データがモノクロであるかどうかを判断する。ここで、通信制御部３は、印刷データにモノクロ印刷があると判断するとＳ１６に分岐し、印刷データにモノクロ印刷が無いと判断するとＳ２０へ分岐する。
【００６８】
一方、Ｓ３６において、通信制御部３は、モノクロ印刷が可能かどうかを判断する。クロ色のトナーと感光体ドラム等に異常がなければモノクロ印刷が可能し、Ｓ１６に分岐する。また、通信制御部３は、画像形成装置１がモノクロ印刷不可能と判断すると、Ｓ３７に分岐する。
【００６９】
Ｓ３７においては、通信制御部３は、ハードディスク６から印刷データを読み出し、Ｓ３８において、Ｓ３７で読み出した印刷データにカラー印刷のみを行う印刷データがあるかどうかを判断する。ここで、通信制御部３は、印刷データにカラー印刷があると判断するとＳ１６に分岐し、印刷データにカラー印刷が無いと判断するとＳ２０へ分岐する。
【００７０】
第２実施例においては、予め画像形成装置１の状態を記憶し、装置が印刷可能かどうかを判断する手段と、モノクロ印刷・カラー印刷のそれぞれで印刷可能かどうかを判断し、省電力モードで受信した印刷データが、現在の画像形成製装置１で印刷できる内容か解析する手段とを備える構成としたことで、画像形成装置１は、印刷可能な場合のみ省電力モードから復帰するため、電力を無駄に使用せず、効率的に省電力効果を得ることが可能である。また、受信した印刷データはハードディスク６に格納されているために、装置エラー（印刷出来ない原因）さえ取り除けば、画像形成装置１に対して外部から印刷データを再送信する必要がなく、すぐに印刷を再開することが可能である。
【００７１】
なお、上述した各実施形態は、本発明の好適な実施形態であるが、本発明はこれに限定されるものではなく、本発明の趣旨を逸脱しない範囲において、各構成は、適宜変更可能である。例えば、省電力モードにおいて、通信制御部、電源起動部、ハードディスク、電圧監視部に電力を提供するために、本実施例では充電池を用いたが、電気２重層を含む、キャパシタの使用が好適である。
【００７２】
本発明はプリンタ装置などの画像形成装置のみに限らず、複写機あるいはファクシミリ装置、そして、コピー機能、プリンタ機能、スキャナ機能及びファクシミリ機能などの各種機能を兼ね備えた複合機などに対しても適用可能である。
【図面の簡単な説明】
【００７３】
【図１】本実施例である画像形成装置が組み込まれたネットワーク構成図である。
【図２】第１実施形態の実施例である画像形成装置の構成を示したブロック図である。
【図３】画像形成部が処理する通常印刷モードから省電力モードへの切り替えタスクを示すフローチャートである。
【図４】画像形成部が処理する省電力モードから通常印刷モードへの切り替えタスクを示すフローチャートである。
【図５】通信処理部が省電力モード中に行うタスクを示すフローチャートである。
【図６】通信処理部の通常受信処理を示すフローチャートである。
【図７】電源監視部の処理タスクを表すフローチャートである。
【図８】本実施例の電源出力のタイムテーブルである。
【図９】第２実施形態の実施例である画像形成装置の構成を示したブロック図である。
【図１０】通信制御部の処理タスクを表すフローチャートである。
【符号の説明】
【００７４】
１    画像形成装置
３    通信制御部
４    画像形成部電源
５    電源起動部
６    ハードディスク
７    充電池
８    充電回路
９    電源切り替えスイッチ
１１  画像形成部
１２  ネットワーク
１４  商用電源
２０  画像形成部状態記憶部
２１  印刷データ解析部
９９  電圧監視部
１００、１０１、１０２、１０４、１０５、１１３，１１４  信号線
１０３、１０６、１０７、１０８、１１０、１１１，１１２  電力供給ライン
【図１】
2008137162.tif 000003
【図２】
2008137162.tif 000004
【図３】
2008137162.tif 000005
【図４】
2008137162.tif 000006
【図５】
2008137162.tif 000007
【図６】
2008137162.tif 000008
【図７】
2008137162.tif 000009
【図８】
2008137162.tif 000010
【図９】
2008137162.tif 000011
【図１０】
2008137162.tif 000012